(57)【要約】【課題】住宅の床材として施工される厚手の化粧木質片を表面に貼着された木質床材を簡単な工程でかつ安価に生産することを課題とする。【解決手段】複数枚の小幅の化粧木質片を用意し製品となったときに表面となる面を下面に向けて床材基板の大きさに仕組み、ホットメルト樹脂を化粧木質片の接合部に点状に塗布して化粧木質片集合体を形成し、該化粧木質片集合体を木材用の接着剤を介して床板基板にホットメルト樹脂塗布面が接するように載置して加熱加圧し、化粧木質片集合体と床材基材とを一体化した後、側面加工を行うことを特徴とする。化粧木質片集合体の外周端部は接着あるいは粘着テープで固定され、ホットメルト樹脂の溶融温度は１２０℃以下であることを特徴とする。【選択図】図１
2006315327.tif 000002
【特許請求の範囲】
【請求項１】
複数枚の小幅の化粧木質片を用意し製品となったときに表面となる面を下面に向けて床材基板の大きさに仕組み、ホットメルト樹脂を化粧木質片の接合部に点状に塗布して化粧木質片集合体を形成し、該化粧木質片集合体を木材用の接着剤を介して床板基板にホットメルト樹脂塗布面が接するように載置して加熱加圧し、化粧木質片集合体と床材基材とを一体化した後、側面加工を行う化粧木質床材の製造方法。
【請求項２】
化粧木質片集合体の外周端部を接着あるいは粘着テープで固定する請求項１記載の化粧木質床材の製造方法。
【請求項３】
ホットメルト樹脂の溶融温度が１２０℃以下である請求項１記載の化粧木質床材の製造方法。
【発明の詳細な説明】
【技術分野】
【０００１】
本発明は、住宅の床材として施工される木質床材の製造方法に関するもので床材を容易に生産する方法に関するものである。
【背景技術】
【０００２】
合板等を基材とした化粧木質床材としては基板に０．５ｍｍ程度の薄い単板を市松模様や乱尺模様になる様に貼着し、側面に実加工を施したものが用いられている。この場合紙テープを用いて単板の仕組みを行うのが一般的であり、木質基材に貼着されるがテープが表面側に配され研削によりテープを除去するがテープを完全に除去できず、あるいは表面単板まで研削してしまうといった問題がある。これに対して最近は厚手の単板を用いた床材が多く使用されるようになってきている。
【特許文献１】実公平７―２９１３６号公報（第２頁、図１）
【特許文献２】特開平５―３９６６４号公報（第４頁、図２）
【発明の開示】
【発明が解決しようとする課題】
【０００３】
上記特許文献１では単板片に面取り加工や溝加工を施しているので単板の欠けを防止するために単板裏面に裏打ち材を貼着している。この単板片を特有の模様を有するように該単板片を複数枚突き合わせて基材に加熱接着される。従って木質感と立体感のある単板貼り化粧板が得られるが単板加工の他に貼着工程が２度必要となり複雑な工程が要求される。
【０００４】
特許文献２では小幅の化粧板での長手方向の裏面側の全長にわたり欠け込みを形成し，ホットメルト樹脂を欠け込みに充填して化粧板相互を繋ぎ合わせ裏面に可撓性シートを貼着している。これはコンクリート床などの凹凸面に直接貼着するために屈曲性を付与するものであり、本発明とはホットメルト樹脂を使用することは共通するが本発明の化粧木質床材のように住宅の根太に直接施工されるものではない。
【０００５】
本発明は住宅の根太等の上に直接取付けられる化粧木質床材を容易に生産出来る方法を提供することを課題とするものである。
【課題を解決するための手段】
【０００６】
上記課題を解決するために、本発明に係る化粧木質床材の製造方法における第一の特徴構成は、請求項１に記載した如く、複数枚の小幅の化粧木質片を用意し製品となったときに表面となる面を下面に向けて床材基板の大きさに仕組み、ホットメルト樹脂を化粧木質片の接合部に点状に塗布して化粧木質片集合体を形成し、該化粧木質片集合体を木材用の接着剤を介して床板基板にホットメルト樹脂塗布面が接するように載置して加熱加圧して、化粧木質片集合体と床材基材とを一体化した後、側面加工を行う点にある。
【０００７】
同第二の特徴構成は、請求項２に記載した如く、第一の特徴構成に加えて化粧木質片集合体の外周端部を接着あるいは粘着テープで固定する点にある。
【０００８】
同第三の特徴構成は、請求項３に記載した如く、ホットメルト樹脂の溶融温度が１２０℃以下である点にある。
【発明の効果】
【０００９】
請求項１に記載の化粧木質床材の製造方法は前記構成であり、化粧木質床材の表面となる面を下面に向けて床材基板の大きさに仕組み、ホットメルト樹脂を化粧木質片の相互の接合部に点状に塗布するだけであるから、作業は容易であり化粧木質片同志を連結し化粧木質片集合体を形成する。ホットメルト樹脂は化粧木質片が既に仕組まれているために化粧木質片の接合面の側面には入り込めず、仕組まれた化粧木質片の表面に存在する。このため少量のホットメルト樹脂で構成でき、化粧木質片には溝加工などが無く、化粧木質片の接合部に塗布するだけであるので熟練の必要が無くとも加工できる。
【００１０】
請求項２に記載の化粧木質床材の製造方法は前記構成であるので、化粧木質片集合体の外周端部に接着或いは粘着テープで貼着するので形成された化粧木質片集合体の取り扱いが容易となる。
【００１１】
請求項３に記載の化粧木質床材の製造方法は前記構成であり、ホットメルト樹脂の溶融温度が低いのでホットメルト樹脂の塗布後の冷却時間が短くできる。又基材と一体化するために加熱圧締する場合もホットメルト樹脂が低融点であるために基材に塗布された木材用の接着剤が硬化する前に溶融して流動化するのでホットメルト樹脂による床材表面の凹凸の発生は生じることがない。
【発明を実施するための最良の形態】
【００１２】
以下、本発明の実施形態について図面を参照して、詳細に説明する。図１および図２は本発明における化粧木質床材の製造方法の一実施例を示すものである。図１は化粧木質片集合体１を裏面側より見た斜視図であり、２は本発明に用いられる表面化粧用の化粧木質片を示している。
【００１３】
化粧木質片２は厚みが２〜３mm以上の単板片であり所定寸法に切断されている。化粧木質片２は製品になった場合、表面になる面を下面に向けて製品の大きさに合せて複数枚の化粧木質片２を用いて仕組まれる。仕組まれた化粧木質片２には図１に示すように化粧木質片２同志の接合部に点状にホットメルト樹脂３が塗布され化粧木質片集合体１が形成される。
【００１４】
ホットメルト樹脂３としては１２０℃以下で溶融するものが用いられ、化粧木質片集合体１がバラけない程度に点状に塗布される。点付け塗布されたホットメルト樹脂３は硬化する前にできるだけ平滑になるように押さえ付けるのが好ましい。ホットメルト樹脂３は溶融温度が低いために硬化時間が短いので冷却時間を取ることなく次工程に移動することができる。使用されるホットメルト樹脂３としては柔軟性が要求される場合は合成ゴム系、ゴム―オレフィン系樹脂が用いられ、その他にエチレン酢酸ビニール系、ウレタン系、ポリエステル系の樹脂も使用できる。
【００１５】
次いで化粧木質片集合体１の側面にテープ４が貼着される。テープ４は接着剤あるいは粘着材が塗布されているのでテープ４を押し付けるだけで貼着できる。これにより化粧木質片集合体１はバラけるのが防止され移動が容易となる。テープ４は化粧木質片集合体１の端部全周に設ける必要は無く、化粧木質片集合体１がバラけないように主要部にのみ設けることで充分である。
【００１６】
得られた化粧木質片集合体１はホットメルト樹脂３の塗布面が接するように床材基材５に載置され、加熱圧締され化粧木質片集合体１と床材基材５とが木材用の接着剤６により一体化される。床材基材５としては寸法変化の小さい合板が適しているが他の木質材例えば中比重繊維板でも使用することができる。床材基材５に塗布される木材用の接着剤６としては酢ビーアクリルエマルジョン、フェノール樹脂系などローラで塗布が可能な一般に使用されているものである。
【００１７】
化粧木質片集合体１と床材基材５等を一体化する加熱圧締はホットプレス（図示せず）で行われ加熱温度は１２０℃以上の温度で行われる。これによりホットメルト樹脂３は木材用の接着剤６の硬化に先立ち溶融し流動化するので床材基材５に塗布された木材用の接着剤６と混合され木材用接着剤６の硬化により化粧木質片集合体１と床材基材５とが一体化される。ホットメルト樹脂３の量は木材用の接着剤６の量に比べ極く少量であるため、混合されない場合でもほとんど障害は生じない。
【００１８】
図２に示すように化粧木質片集合体１と床材基材５が一体化された後は、通常の木質床材と同様に端部に実７加工され床材が得られる。実７加工は一面に雄実が、他面に雌実が形成される。この実７加工時に化粧木質片集合体１の端部に貼着されたテープ４は実７加工により除去される。
【００１９】
このように本発明では表面の化粧木質片２が所定寸法に切断されるのみで他の加工が不要なために工程が単純化される。ホットメルト樹脂３も化粧木質片２の接合部のみに点状に塗布されるので少ない使用量で良く、塗布に熟練を必要としない。またホットメルト樹脂３の溶融点が低いのでホットメルト樹脂３の塗布後の冷却時間が不要となる。
【００２０】
化粧木質片集合体１は表面を下にして仕組まれるので表面部は平滑に形成される。従って、表面は軽く研削するのみで表面の平滑な製品が得られる。この様に工程が簡単になるので安価に生産できる。得られた製品は床材基材５が有るために木造住宅の根太に直接取り付け床材として使用されるものである。
【図面の簡単な説明】
【００２１】
【図１】本発明に係るホットメルト樹脂を点状に塗布された化粧木質片集合体の一部切り欠き斜視図。
【図２】図１で得られた化粧木質片集合体で構成した化粧木質床材の一部切り欠き斜視図。
【符号の説明】
【００２２】
１      化粧木質片集合体
２      化粧木質片
３      ホットメルト樹脂
４      テープ
５      床材基材
６      木材用の接着剤
７      端面に加工された実
【図１】
2006315327.tif 000003
【図２】
2006315327.tif 000004